(57)【要約】【課題】ネットワーク上のサイトに投稿される動画コンテンツがオリジナル・コンテンツであることを配信者が確認し、利用者に対して保証することを目的とする。【解決手段】認証要求に含まれる要求元認証情報をあらかじめ登録された登録済要求元認証情報と照合し両者が一致すれば電子証明書を出力するＤｓｅｃ認証サーバと、オリジナル動画コンテンツを入力し、該コンテンツに対する認証要求をＤｓｅｃ認証サーバに要求し、該サーバから出力される電子証明書をオリジナル動画コンテンツに付加したものをＤｓｅｃ認証ＩＤ付オリジナル動画コンテンツとして出力するＤｓｅｃエンコーダと、動画コンテンツがＤｓｅｃ認証ＩＤ付オリジナル動画コンテンツであれば、分離されたオリジナル動画コンテンツをそのまま出力するＤｓｅｃデコーダを含む。【選択図】図１
2011223364.tif 000002
【特許請求の範囲】
【請求項１】
ネットワークに接続され、認証要求に含まれる要求元認証情報をあらかじめ登録された登録済要求元認証情報と照合し両者が一致すれば、認証応答としてあらかじめ要求元に対して認定された電子証明書を出力するＤｓｅｃ認証サーバと、
オリジナル動画コンテンツを入力し、そのオリジナル動画コンテンツに対する認証要求を前記Ｄｓｅｃ認証サーバに要求し、前記Ｄｓｅｃ認証サーバの認証応答として出力される前記電子証明書を前記オリジナル動画コンテンツに付加したものを、Ｄｓｅｃ認証ＩＤ付オリジナル動画コンテンツとして前記ネットワークに出力するＤｓｅｃエンコーダと、
前記ネットワークから動画コンテンツを入力し、入力した前記動画コンテンツが前記Ｄｓｅｃ認証ＩＤ付オリジナル動画コンテンツであればそれを前記電子証明書と前記オリジナル動画コンテンツとに分離し、分離された前記電子証明書を出力してその情報をＧＵＩ（Ｇｒａｐｈｉｃａｌ  Ｕｓｅｒ  Ｉｎｔｅｒｆａｃｅ）上に表示させるとともに分離された前記オリジナル動画コンテンツをそのまま出力し、前記入力した動画コンテンツが前記Ｄｓｅｃ認証ＩＤ付オリジナル動画コンテンツでなければ警告情報を出力して前記ＧＵＩ上に表示させるＤｓｅｃデコーダと、
を含むことを特徴とする動画セキュリティ認証システム。
【請求項２】
前記請求項１記載の動画セキュリティ認証システムにおいて、
接続されるネットワークがインターネット、インターネット上に構築されるＷＡＮ、広域ＩＰネットワーク、閉域ＩＰネットワークのいずれかであることを特徴とする動画セキュリティ認証システム。
【請求項３】
前記請求項２記載の動画セキュリティ認証システムにおいて、
Ｄｓｅｃエンコーダが、オリジナル動画コンテンツを作成する装置のＯＳ（Ｏｐｅｒａｔｉｏｎ  Ｓｙｓｔｅｍ、基本ソフトウェア）上で動作するアプリケーション・ソフトウェアとして実装されることを特徴とする動画セキュリティ認証システム。
【請求項４】
前記請求項２記載の動画セキュリティ認証システムにおいて、
Ｄｓｅｃエンコーダが、オリジナル動画コンテンツを入力するとそのオリジナル動画コンテンツに対する認証要求をネットワークを通じてＤｓｅｃ認証サーバに送り、Ｄｓｅｃ認証サーバの認証応答として出力される電子証明書をＤｓｅｃ認証ＩＤとして前記オリジナル動画コンテンツに付加したものをＤｓｅｃ認証ＩＤ付オリジナル動画コンテンツとして出力することを特徴とする動画セキュリティ認証システム。
【請求項５】
前記請求項２記載の動画セキュリティ認証システムにおいて、
Ｄｓｅｃエンコーダが、オリジナル動画コンテンツを入力するとそのオリジナル動画コンテンツに対する認証要求をネットワークを通じてＤｓｅｃ認証サーバに送り、Ｄｓｅｃ認証サーバの認証応答として出力される電子証明書、および前記オリジナル動画コンテンツに対するＣＲＣ（Ｃｙｃｌｉｃ  Ｒｅｄｕｎｄａｎｃｙ  Ｃｈｅｃｋ）符号の計算結果を、あらかじめ定められた埋め込みルールに従って埋め込んだものをＤｓｅｃ認証ＩＤとし、それを前記オリジナル動画コンテンツに付加したものをＤｓｅｃ認証ＩＤ付オリジナル動画コンテンツとして出力することを特徴とする動画セキュリティ認証システム。
【請求項６】
前記請求項２記載の動画セキュリティ認証システムにおいて、
Ｄｓｅｃデコーダが、オリジナル動画コンテンツを再生または保存する装置のＯＳ上で動作するブラウザ・プラグイン型の情報表示ソフトウェアとして実装されることを特徴とする動画セキュリティ認証システム。
【請求項７】
前記請求項２記載の動画セキュリティ認証システムにおいて、
Ｄｓｅｃデコーダが、請求項４のＤｓｅｃエンコーダに対応して動作するＤｓｅｃデコーダであって、ネットワークから動画コンテンツを入力し、入力した前記動画コンテンツがＤｓｅｃ認証ＩＤ付オリジナル動画コンテンツか否かを判定し、Ｄｓｅｃ認証ＩＤ付オリジナル動画コンテンツであれば、それを前記Ｄｓｅｃ認証ＩＤすなわち電子証明書と前記オリジナル動画コンテンツとに分離し、分離された前記電子証明書を出力してその情報をＧＵＩ上に表示させるとともに、分離された前記オリジナル動画コンテンツをそのまま出力し、前記入力した動画コンテンツが前記Ｄｓｅｃ認証ＩＤ付オリジナル動画コンテンツでなければ、警告情報を作成・出力してＧＵＩ上にそれを表示させることを特徴とする動画セキュリティ認証システム。
【請求項８】
前記請求項２記載の動画セキュリティ認証システムにおいて、
Ｄｓｅｃデコーダが、請求項５のＤｓｅｃエンコーダに対応して動作するＤｓｅｃデコーダであって、ネットワークから動画コンテンツを入力し、入力した前記動画コンテンツがＤｓｅｃ認証ＩＤ付オリジナル動画コンテンツか否かを判定し、Ｄｓｅｃ認証ＩＤ付オリジナル動画コンテンツであればそれをオリジナル動画コンテンツとＤｓｅｃ認証ＩＤとに分離し、前記請求項５のＤｓｅｃエンコーダとの間であらかじめ定められた埋め込みルールに従って前記Ｄｓｅｃ認証ＩＤを送信側ＣＲＣ符号計算結果と電子証明書とに分離し、分離された前記証明書はそのまま出力してその情報をＧＵＩ上に表示させ、前記分離されたオリジナル動画コンテンツのＣＲＣ符号を計算し、その結果と送信側ＣＲＣ符号計算結果が一致すれば前記分離されたオリジナル動画コンテンツを請求項５のＤｓｅｃエンコーダが出力したオリジナル動画コンテンツと同一と判断してそのまま出力し、前記入力した動画コンテンツがＤｓｅｃ認証ＩＤ付オリジナル動画コンテンツでなければ警告情報を作成し出力してＧＵＩ上にそれを表示させることを特徴とする動画セキュリティ認証システム。
【請求項９】
前記請求項２記載の動画セキュリティ認証システムにおいて、
Ｄｓｅｃ認証サーバが、ネットワークに接続され、認証要求に含まれる要求元認証情報をあらかじめ登録された登録済要求元認証情報と照合し、両者が一致すれば、認証応答としてあらかじめ要求元に対して認定された電子証明書を発行し、保存し、出力することを特徴とする動画セキュリティ認証システム。
【請求項１０】
前記請求項９記載の動画セキュリティ認証システムにおいて、
Ｄｓｅｃ認証サーバが、前記ネットワークの運用者が管理・運用する装置のＯＳ上で動作するウェブ・アプリケーション・ソフトウェアとして実装されることを特徴とする動画セキュリティ認証システム。
【請求項１１】
前記請求項９記載の動画セキュリティ認証システムにおいて、
Ｄｓｅｃ認証サーバが、あらかじめ公的認証機関から認証（電子証明書）を受けることを特徴とする動画セキュリティ認証システム。
【請求項１２】
前記請求項１〜１１の内、いずれか１項記載の動画セキュリティ認証システムにおいて、
Ｄｓｅｃ認証サーバとオリジナル動画コンテンツ投稿者とオリジナル動画コンテンツ保存・共有・配信事業者とオリジナル動画コンテンツ視聴者により構成されるオリジナル動画コンテンツ保存・共有・配信システムに使用され、前記Ｄｓｅｃ認証サーバから前記オリジナル動画コンテンツ投稿者にＤｓｅｃエンコーダが配信され、前記Ｄｓｅｃ認証サーバから前記オリジナル動画コンテンツ保存・共有・配信事業者および前記オリジナル動画コンテンツ視聴者にＤｓｅｃデコーダが配信されることを特徴とする動画セキュリティ認証システム。
【請求項１３】
前記請求項１２記載の動画セキュリティ認証システムにおいて、
前記オリジナル動画コンテンツ投稿者と前記オリジナル動画コンテンツ視聴者がそれぞれ複数存在することを特徴とする動画セキュリティ認証システム。
【請求項１４】
前記請求項１〜１１の内、いずれか１項記載の動画セキュリティ認証システムにおいて、
インターネット上のオリジナル動画コンテンツ保存・共有・配信事業者と、インターネット上のＤｓｅｃ認証サーバと、ＤｓｅｃエンコーダおよびＤｓｅｃデコーダをあらかじめ実装しホームネットワーク経由でインターネットに接続される個人用ビデオカメラと、Ｄｓｅｃデコーダをあらかじめ実装し前記ホームネットワークに接続されるホームネットワーク機器により構成されるオリジナル動画コンテンツ保存・共有・配信システムに使用されることを特徴とする動画セキュリティ認証システム。
【請求項１５】
前記請求項１〜１１の内、いずれか１項記載の動画セキュリティ認証システムにおいて、
ＤｓｅｃエンコーダおよびＤｓｅｃデコーダをあらかじめ実装しインターネット接続機能を有するビデオカメラ付多機能携帯端末と、インターネット上のＤｓｅｃ認証サーバおよびＤｓｅｃデコーダをあらかじめ実装し、インターネット上のオリジナル動画コンテンツ保存・共有・配信事業者より構成されるオリジナル動画コンテンツ保存・共有・配信システムに使用されることを特徴とする動画セキュリティ認証システム。
【請求項１６】
前記請求項１〜１１の内、いずれか１項記載の動画セキュリティ認証システムにおいて、
Ｄｓｅｃエンコーダをあらかじめ実装しインターネット接続機能を有する監視用ビデオカメラと、インターネット上のＤｓｅｃ認証サーバおよびリアルタイム監視サービス事業者と、Ｄｓｅｃデコーダをあらかじめ実装しインターネット接続機能を有するリアルタイム監視サービス加入者端末により構成されるオリジナル動画コンテンツ保存・共有・配信システムに使用されることを特徴とする動画セキュリティ認証システム。
【請求項１７】
前記請求項１〜１６の内、いずれか１項記載の動画セキュリティ認証システムにおいて、
オリジナル動画コンテンツがオリジナル静止画コンテンツ、オリジナル音コンテンツ、オリジナル文章コンテンツまたはそれらの組合わせを含むことを特徴とする動画セキュリティ認証システム。
【発明の詳細な説明】
【技術分野】
【０００１】
この発明は、作成された動画コンテンツがオリジナル・コンテンツであることをその動画コンテンツの利用者に対して保証する、動画セキュリティ認証システムに関するものである。ここでオリジナル・コンテンツとは、作成者が原本として作成したコンテンツ（記憶媒体に記録し伝送媒体を通じて伝送する、人間が観賞するひとまとまりの情報、すなわち、動画や静止画、音楽、文章、あるいはそれらの組み合わせ）であって他者の作成したコンテンツからの複製・引用・盗用・改ざんなどを含まず、かつウィルスや不法な内容を含まないコンテンツのことをいう。
【背景技術】
【０００２】
今日インターネット上で流通する動画（この発明では「デジタル化された動画情報」を簡略に「動画」と表現する）は、動画配信サービス事業者が有償・無償で配信し流通させる商品としてだけでなく、さまざまな企業・官公庁・団体などにとっても有効な宣伝・広告・広報手段となっている。またＹｏｕ  Ｔｕｂｅのようにインターネット上で動画を保存・共有・配信するサービスの出現により、個人が作成した動画をインターネット上で広く保存・共有・配信することも可能になるなど、動画は一般企業・官公庁・団体などにとっても個人にとっても、情報発信の有力な手段として一層身近なコンテンツとなりつつある。
【０００３】
しかしながら、インターネット上でコンテンツ（動画に限らない）を配信する場合に考慮すべき問題が２つある。第１は、コンテンツの配信者がコンテンツをその正当な利用者に配信する過程で、どうやって第三者による不正利用を防止し、そのコンテンツ製作者の権利（著作権）を適正に保護するか、ということであり、第２は、コンテンツ保存・共有・配信サービス・サイトに配信目的で投稿されるコンテンツがオリジナル・コンテンツ、すなわち投稿者が原本として作成したコンテンツであって他者の作成したコンテンツからの複製・引用・盗用・改ざんなどを含まず、かつウィルスや不法な内容を含まないコンテンツ、であることを配信者がどうやって確認し利用者に対して保証するか、ということである。
【０００４】
第１の問題の解決手段としてはデジタル著作権管理（Ｄｉｇｉｔａｌ  Ｒｉｇｈｔｓ  Ｍａｎａｇｅｍｅｎｔ；ＤＲＭ）技術が知られている。ＤＲＭ技術では、一般にコンテンツ配信側で、動画や音楽などのコンテンツ・データ自体と別に、そのコンテンツ・データの再生に不可欠な鍵となるメタデータ（そのコンテンツ・データに関連する情報）を作成し、そのメタデータを特定の利用者だけに渡すようにする。鍵となるメタデータを持たない利用者は、コンテンツ・データだけを獲得してもそれを再生することができない。このメタデータは、コンテンツ・データを再生するパーソナル・コンピュータ（ＰＣ）やその使用者と一意的に対応するように作成されるので、第三者によるコンテンツ・データの不正な再生や複製・引用・盗用・改ざんなどを防ぐことが可能となる。
【０００５】
ＤＲＭ技術は、コンテンツ配信者の配信するコンテンツがオリジナル・コンテンツであることを前提とし、そのコンテンツが正当な利用者に配布されて再生されるまでの過程で第三者が不正に再生・複製・引用・盗用・改ざんするのを防止する技術である。したがってＤＲＭ技術は、映画やテレビ放送の有料配信サービスのように、オリジナル・コンテンツとして確認されたコンテンツだけを配信するコンテンツ配信サービスに対して有効に適用することができ、そのような商用システムで実際に使用されている。
【０００６】
インターネット上でコンテンツを配信する場合に考慮すべき第２の問題、すなわち、コンテンツ保存・共有・配信サイトに配信目的で投稿されるコンテンツがオリジナル・コンテンツであることを、配信者がどうやって確認し利用者に対して保証するか、という問題については、これまで有効な解決手段が存在しなかった。
【０００７】
このため、現在商用されている動画保存・共有・配信サービスにおいて見られるように、不特定多数の個人が不特定多数の利用者に配信する目的で作成し投稿する動画コンテンツが、オリジナル・コンテンツではなく、投稿者の意図の有無に拘らず、他のオリジナル・コンテンツからの複製・引用・盗用・改ざんなどを含んでいる場合、動画保存・共有・配信サービス事業者がそのような投稿コンテンツを確認して排除するのは容易なことではない。その結果として、動画保存・共有・配信サービスを通じ、オリジナルでないコンテンツ、場合によってはウィルスなどの埋め込まれたコンテンツや違法のコンテンツがインターネット上で流通しているのが現状である。このようなオリジナル・コンテンツでないコンテンツの流通に対してはＤＲＭ技術も無力である。
【０００８】
インターネット上での従来の動画保存・共有・配信サービスには上述の第２の問題があるため、映画会社やテレビ放送事業者など、オリジナル・コンテンツの著作権所有者は、動画保存・共有・配信サービスのサイトを人手により常時巡回監視し、自己の著作権を侵害するコンテンツを発見したら、そのサイトの運用者に当該コンテンツを削除するよう警告する或いは運用者自ら巡回監視して該当コンテンツを探し、削除するという、面倒で多大なコストがかかりしかも不完全な対策に頼らざるを得なかった。
【０００９】
また動画保存・共有・配信サービスを行う事業者やインターネット・サービス・プロバイダ(ＩＳＰ)にとっては、著作権保有者から上記のような警告を受けるリスクを負うだけでなく、場合によってはウィルスなどが埋め込まれたコンテンツや違法のコンテンツなどを、不特定多数の利用者に配布してしまうリスクも負っていた。
【００１０】
さらに動画保存・共有・配信サービスからコンテンツを配信される利用者にとっては、受取るコンテンツがオリジナル・コンテンツからの複製・引用・盗用・改ざんなどを含んでいると、それを再生するだけで、利用者自身の意図に拘らずオリジナル・コンテンツの著作権を侵害してしまう可能性があり、またウィルスなどが埋め込まれたコンテンツや違法のコンテンツなどを不用意に再生してしまう危険性もあった。
【先行技術文献】
【特許文献】
【００１１】
【特許文献１】特開２００９−２６８０２８号公報
【特許文献２】特表２００８−５２３５２４号公報
【発明の開示】
【発明が解決しようとする課題】
【００１２】
本発明は従来の動画保存・共有・配信サービスにおける上述の第２の問題に鑑みてなされたもので、ネットワーク上のコンテンツ保存・共有・配信サイトに配信目的で投稿される動画コンテンツがオリジナル・コンテンツ、すなわち投稿者が原本として作成し、他者の作成したコンテンツからの複製・引用・盗用・改ざんなどを含まずかつウィルスの埋め込みや違法の内容を含まないコンテンツ、であることを配信者がどうやって確認し、利用者に対して保証するか、という第２の問題を解決することによって、利用者が安心して視聴できる動画コンテンツを提供する動画保存・共有・配信サービスを可能とすることである。
【課題を解決するための手段】
【００１３】
この課題を解決するための手段として、本発明の動画セキュリティ認証システムは、ネットワークに接続され、認証要求に含まれる要求元認証情報をあらかじめ登録された登録済要求元認証情報と照合し両者が一致すれば、認証応答としてあらかじめ要求元に対して認定された電子証明書を出力するＤｓｅｃ認証サーバと、オリジナル動画コンテンツを入力し、そのオリジナル動画コンテンツに対する認証要求を前記Ｄｓｅｃ認証サーバに要求し、前記Ｄｓｅｃ認証サーバの認証応答として出力される前記電子証明書を前記オリジナル動画コンテンツに付加したものを、Ｄｓｅｃ認証ＩＤ付オリジナル動画コンテンツとして前記ネットワークに出力するＤｓｅｃエンコーダと、前記ネットワークから動画コンテンツを入力し、入力した前記動画コンテンツが前記Ｄｓｅｃ認証ＩＤ付オリジナル動画コンテンツであればそれを前記電子証明書と前記オリジナル動画コンテンツとに分離し、分離された前記電子証明書を出力してその情報をＧＵＩ（Ｇｒａｐｈｉｃａｌ  Ｕｓｅｒ  Ｉｎｔｅｒｆａｃｅ）上に表示させるとともに分離された前記オリジナル動画コンテンツをそのまま出力し、前記入力した動画コンテンツが前記Ｄｓｅｃ認証ＩＤ付オリジナル動画コンテンツでなければ警告情報を出力して前記ＧＵＩ上に表示させるＤｓｅｃデコーダを含む。
【００１４】
なお、本発明の動画セキュリティ認証システムが接続されるネットワークは典型的にはインターネットであるがそれに限られるものではなく、たとえばインターネット上でそれぞれ独立に構築される企業・官公庁・団体などのＷＡＮ（Ｗｉｄｅ  Ａｒｅａ  Ｎｅｔｗｏｒｋ）やＬＡＮ（Ｌｏｃａｌ  Ａｒｅａ  Ｎｅｒｔｗｏｒｋ）のような閉域ＩＰネットワークであっても、通信事業者が構築しサービスを提供する広域ＩＰネットワークであってもよい。
【発明の効果】
【００１５】
本発明の手段により、インターネットによる動画保存・共有・配信サービスにおいて、動画コンテンツ保存・共有・配信サイトに配信目的で投稿される動画コンテンツが、オリジナル・コンテンツ、すなわち投稿者が原本として作成し、他者の作成したコンテンツからの複製・引用・盗用・改ざんなどを含まずかつウィルスの埋め込みや違法の内容を含まないコンテンツ、であることを配信者が確認し利用者に対して保証することができるので、利用者が安心して視聴できる動画コンテンツを提供する動画保存・共有・配信サービスの実現が可能になる。
【図面の簡単な説明】
【００１６】
【図１】本発明の手段による動画セキュリティ認証システムの構成を示す図である。
【図２】図１の本発明の構成におけるＤｓｅｃエンコーダ１１１の一構成例を説明する図である。
【図３】本発明の構成におけるＤｓｅｃエンコーダ１１１の他の構成例を説明する図である。
【図４】図１の本発明の構成におけるＤｓｅｃデコーダ１１２の一構成例を説明する図である。
【図５】図１の本発明の構成におけるＤｓｅｃデコーダ１１２の他の構成例を説明する図である。
【図６】本発明の構成におけるＤｓｅｃ認証サーバ１１０の一構成例とその基本動作６００を説明する図である。
【図７】本発明の動画セキュリティ認証システムの実施例１を示す図である。
【図８】本発明の動画セキュリティ認証システムの実施例２を示す図である。
【図９】本発明の動画セキュリティ認証システムの実施例３を示す図である。
【図１０】本発明の動画セキュリティ認証システムの実施例４を示す図である。
【発明を実施するための形態】
【００１７】
以下図面を参照しつつ本発明を詳細に説明する。
図１は本発明の手段による動画セキュリティ認証システムの構成を示す図である。同図の動画セキュリティ認証システムは、ネットワーク１００に接続され、認証要求１０１に含まれる要求元認証情報１０２をあらかじめ登録された登録済要求元認証情報１０３と照合し両者が一致すれば、認証応答としてあらかじめ要求元に対して認定された電子証明書１０４を出力するＤｓｅｃ認証サーバ１１０と、オリジナル動画コンテンツ１０５を入力し、入力されたオリジナル動画コンテンツ１０５に対する認証要求１０１を前記Ｄｓｅｃ認証サーバ１１０に要求し、前記Ｄｓｅｃ認証サーバ１１０の認証応答として出力される前記電子証明書１０４をＤｓｅｃ認証ＩＤとして前記オリジナル動画コンテンツ１０５に付加したものを、Ｄｓｅｃ認証ＩＤ付オリジナル動画コンテンツ１０６としてネットワーク１００に出力するＤｓｅｃエンコーダ１１１と、前記ネットワーク１００から動画コンテンツ１０７を入力し、入力した前記動画コンテンツ１０７が前記Ｄｓｅｃ認証ＩＤ付オリジナル動画コンテンツ１０６であればそれを前記電子証明書１０４と前記オリジナル動画コンテンツ１０５とに分離し、分離された前記電子証明書１０４を出力してその情報をＧＵＩ（Ｇｒａｐｈｉｃａｌ  Ｕｓｅｒ  Ｉｎｔｅｒｆａｃｅ、図には示していない）上に表示させるとともに、分離された前記オリジナル動画コンテンツ１０５をそのまま出力し、前記入力した動画コンテンツ１０７が前記Ｄｓｅｃ認証ＩＤ付オリジナル動画コンテンツ１０６でなければ警告情報１０９を出力してＧＵＩ上に表示させるＤｓｅｃデコーダ１１２を含む。
【００１８】
図２は図１の本発明の構成におけるＤｓｅｃエンコーダ１１１の一構成例を説明する図である。Ｄｓｅｃエンコーダ１１１は、動画保存・共有・配信サービスに動画コンテンツを投稿しようとする投稿者のＰＣやビデオカメラ、ビデオカメラ付携帯電話端末などの、オリジナル動画コンテンツを作成する装置に典型的には装置のＯＳ（Ｏｐｅｒａｔｉｏｎ  Ｓｙｓｔｅｍ、基本ソフトウェア）上で動作するアプリケーション・ソフトウェアとして実装される。
【００１９】
図２において、Ｄｓｅｃエンコーダ１１１は、オリジナル動画コンテンツ１０５を入力するとそのオリジナル動画コンテンツ１０５に対する認証要求１０１をネットワーク１００を通じてＤｓｅｃ認証サーバ１１０に送り、Ｄｓｅｃ認証サーバ１１０の認証応答として出力される電子証明書１０４をＤｓｅｃ認証ＩＤ２０１として前記オリジナル動画コンテンツ１０５に付加したものを、Ｄｓｅｃ認証ＩＤ付オリジナル動画コンテンツ１０６として出力し、ネットワーク１００に乗せる。
【００２０】
図３は本発明の構成におけるＤｓｅｃエンコーダ１１１の他の構成例を説明する図である。図３において、Ｄｓｅｃエンコーダ１１１は、オリジナル動画コンテンツ１０５を入力するとそのオリジナル動画コンテンツ１０５に対する認証要求１０１をネットワーク１００を通じてＤｓｅｃ認証サーバ１１０に送り、Ｄｓｅｃ認証サーバ１１０の認証応答として出力される電子証明書１０４、およびオリジナル動画コンテンツ１０５に対するＣＲＣ（Ｃｙｃｌｉｃ  Ｒｅｄｕｎｄａｎｃｙ  Ｃｈｅｃｋ）符号の計算結果３０１を、あらかじめ定められた埋め込みルール３０２に従って埋め込んだものをＤｓｅｃ認証ＩＤ３０３とし、それを前記オリジナル動画コンテンツ１０５に付加したものをＤｓｅｃ認証ＩＤ付オリジナル動画コンテンツ１０６として出力し、ネットワーク１００に乗せる。
【００２１】
図３の構成例は図２の構成を拡張したものであり、電子証明書１０４に加えて、オリジナル動画コンテンツ１０５に対するＣＲＣ符号の計算結果３０１を、あらかじめ定められた埋め込みルール３０２に従って埋め込んだものをＤｓｅｃ認証ＩＤ３０３とする点が図２の構成例と異なる。オリジナル動画コンテンツ１０５に対するＣＲＣ符号の計算結果３０１を加えるのは、ネットワーク伝送中にオリジナル動画コンテンツ１０５に誤りが生じたり改ざんされたりした場合に受取る側でそれを検出できるようにするためである。Ｄｓｅｃ認証ＩＤへの埋め込みルール３０２は、電子証明書１０４とＣＲＣ符号の計算結果３０１をそのままＤｓｅｃ認証ＩＤとはしないことでネットワーク伝送中の窃取や改ざんを防止するためのものであり、暗号化やデータ配置変換など、ＤｓｅｃエンコーダとＤｓｅｃデコーダの間であらかじめ定められた規則であればよい。この構成によるＤｓｅｃエンコーダとそれに対応するＤｓｅｃデコーダ（後述する）とを用いることにより、図２の構成のＤｓｅｃエンコーダとそれ対応するＤｓｅｃデコーダ（後述する）とを用いる場合に比べ、安全性の高い動画セキュリティ認証システムが実現できる。
【００２２】
図４は図１の本発明の構成におけるＤｓｅｃデコーダ１１２の一構成例を説明する図である。Ｄｓｅｃデコーダ１１２は、オリジナル動画コンテンツを再生または保存する装置のＯＳ上で動作するブラウザ・プラグイン型の情報表示ソフトウェアとして実装される。
【００２３】
図４において、Ｄｓｅｃデコーダ１１２は図２の構成のＤｓｅｃエンコーダに対応して動作するＤｓｅｃデコーダであり、ネットワーク１００から動画コンテンツ１０７を入力し、入力した前記動画コンテンツ１０７がＤｓｅｃ認証ＩＤ付オリジナル動画コンテンツか否かをステップ４０１で判定し、Ｄｓｅｃ認証ＩＤ付オリジナル動画コンテンツであれば、ステップ４０２においてそれをＤｓｅｃ認証ＩＤすなわち電子証明書１０４とオリジナル動画コンテンツ１０５とに分離し、分離された前記電子証明書１０４を出力してその情報をＧＵＩ（Ｇｒａｐｈｉｃａｌ  Ｕｓｅｒ  Ｉｎｔｅｒｆａｃｅ、図には示していない）上に表示させるとともに、分離された前記オリジナル動画コンテンツ１０５をそのまま出力し、前記入力した動画コンテンツ１０７が前記Ｄｓｅｃ認証ＩＤ付オリジナル動画コンテンツでなければ、ステップ４０３において警告情報１０９を作成し出力してＧＵＩ上にそれを表示させる。なおステップ４０２におけるＤｓｅｃ認証ＩＤとオリジナル動画コンテンツの分離は、たとえばＤｓｅｃ認証ＩＤの長さをあらかじめ定めておくことにより、容易に行える。
【００２４】
図５は図１の本発明の構成におけるＤｓｅｃデコーダ１１２の他の構成例を説明する図である。図５において、Ｄｓｅｃデコーダ１１２は図３の構成のＤｓｅｃエンコーダに対応して動作するＤｓｅｃデコーダであり、ネットワーク１００から動画コンテンツ１０７を入力し、入力した動画コンテンツ１０７がＤｓｅｃ認証ＩＤ付オリジナル動画コンテンツか否かをステップ５０１において判定し、Ｄｓｅｃ認証ＩＤ付オリジナル動画コンテンツであればステップ５０２においてそれをオリジナル動画コンテンツ５０４とＤｓｅｃ認証ＩＤ５０５とに分離し、図３の構成のＤｓｅｃエンコーダとの間であらかじめ定められた埋め込みルール３０２に従ってＤｓｅｃ認証ＩＤ５０５を送信側ＣＲＣ符号計算結果５０８と電子証明書１０４とに分離し、分離された電子証明書１０４はそのまま出力してその情報をＧＵＩ（Ｇｒａｐｈｉｃａｌ  Ｕｓｅｒ  Ｉｎｔｅｒｆａｃｅ、図には示していない）上に表示させ、分離されたオリジナル動画コンテンツ５０４のＣＲＣ符号をステップ５０７において計算し、その結果と送信側ＣＲＣ符号計算結果５０８がステップ５０９において一致すればオリジナル動画コンテンツ５０４を図３の構成のＤｓｅｃエンコーダが出力したオリジナル動画コンテンツ１０５と同一と判断してそのまま出力し、一致しなければステップ５１０で警告情報５１１を作成し出力する。ステップ５０１において、入力した動画コンテンツ１０７がＤｓｅｃ認証ＩＤ付オリジナル動画コンテンツでなければ、ステップ５０３において警告情報１０９を作成し出力してＧＵＩ上にそれを表示させる。
【００２５】
図６は本発明の構成におけるＤｓｅｃ認証サーバ１１０の一構成例とその基本動作６００を説明する図であり、オリジナル動画コンテンツの投稿者（本発明の動画セキュリティ認証システムの利用者）６０１があらかじめ行っておく利用者登録の手順６０２とともに示す。
【００２６】
図６のＤｓｅｃ認証サーバ１１０は、インターネット・サービス・プロバイダ(ＩＳＰ)や通信事業者など、ネットワーク１００の運用者が管理・運用するサーバやＰＣなどの装置のＯＳ上で動作する、ウェブ・アプリケーション・ソフトウェアとして実装される。Ｄｓｅｃ認証サーバ１１０の物理的な設置場所は、ネットワークに接続されていれば何処であってもよく、ＩＳＰや動画保存・共有・配信サービスを行う事業者の事業サイトに置かれても、そのような事業者によりアウトソーシングされた認証事業者の事業サイトにおかれてもよい。
【００２７】
図６において、本発明の動画セキュリティ認証システムを利用して動画保存・共有・配信サービスにオリジナル動画コンテンツを投稿しようとする者（利用者）６０１は、まずＤｓｅｃ認証サーバ１１０に利用者登録を要求する（６０３）。利用者登録にはたとえばIＤとパスワードを用いるが、第三者によるなりすましを防止するにはそれだけでは不十分なので、利用者は図６に示すように公的認証機関６０４による個人認証を電子証明書６０５としてあらかじめ取得しておき、それを利用者登録の際の認証情報として用いるのが望ましい。
【００２８】
Ｄｓｅｃ認証サーバ１１０は、投稿者のオリジナル動画コンテンツに対する認証（電子証明書の発行）を行う際のなりすまし防止のため、あらかじめ公的認証機関６０４から認証（電子証明書）を受けておくのが望ましい（６０７）。
【００２９】
Ｄｓｅｃ認証サーバ１１０は、Ｄｓｅｃ認証サーバの利用者（６０１）から登録要求６０３を受取ると、利用者の個人認証（電子証明書６０５）を含む認証情報を確認し利用者として登録するとともに（ステップ６０６）、認証情報を登録済要求元認証情報１０３として保存する。Ｄｓｅｃ認証サーバ１１０は、その後ステップ６０８で、ネットワーク１００を介して利用者６０１にＤｓｅｃエンコーダ１１１を送付することができる。
【００３０】
図６において、Ｄｓｅｃ認証サーバ１１０は動画投稿者６０１からの認証要求１０１をネットワーク１００から受取り、ステップ６０９において、認証要求１０１に含まれる要求元認証情報１０２をあらかじめ登録された登録済要求元認証情報１０３と照合し、両者が一致すれば、要求元である動画投稿者６０１に対してあらかじめ登録された登録済要求元認証情報１０３を電子証明書としてステップ６１０において発行・保存し、ステップ６１１で認証応答１０４として出力し動画投稿者６０１に送付する。
【実施例１】
【００３１】
図７は本発明の動画セキュリティ認証システムの実施例１を示す図であり、本発明の動画セキュリティ認証システムを用いてオリジナル動画コンテンツの保存・共有・配信サービスを実現する例である。実施例１において動画セキュリティ認証システムは、Ｄｓｅｃ認証サーバ７００とオリジナル動画コンテンツ投稿者７０３とオリジナル動画コンテンツ保存・共有・配信事業者（サービス・プロバイダ）７０４とオリジナル動画コンテンツ視聴者７０５で構成されるオリジナル動画コンテンツ保存・共有・配信システムにおいて使用され、Ｄｓｅｃ認証サーバ７００からオリジナル動画コンテンツ投稿者７０３にＤｓｅｃエンコーダが配信され、Ｄｓｅｃ認証サーバ７００からオリジナル動画コンテンツ保存・共有・配信事業者７０４およびオリジナル動画コンテンツ視聴者７０５にＤｓｅｃデコーダが配信される。
【００３２】
実施例１における利用者登録ステップ７０１として、Ｄｓｅｃ認証サーバ７００は、公的認証機関７０２の承認のもとに、オリジナル動画コンテンツ投稿者７０３、オリジナル動画コンテンツ保存・共有・配信事業者（サービス・プロバイダ）７０４およびオリジナル動画コンテンツ視聴者７０５をそれぞれ利用者として登録し(７０６)、投稿者７０３にＤｓｅｃエンコーダを、サービスプロバイダ７０４と視聴者７０５にＤｓｅｃデコーダをそれぞれ配布する。なお、図７では投稿者７０３と視聴者７０５をひとつずつ示しているが、それぞれが複数あってもよい。
【００３３】
実施例１のオリジナル動画コンテンツ保存・共有・配信サービスにおける基本動作ステップ７０７は、以下のようになる。まずオリジナル動画コンテンツの投稿者７０３がＤｓｅｃ認証サーバ７００に対し認証要求を行い、その応答として投稿者７０３に対する電子証明書７０８を受取る。投稿者７０３は、Ｄｓｅｃエンコーダ７１０において、投稿者が作成したオリジナル動画コンテンツ７０９にこの電子証明書７０８を付加してＤｓｅｃ認証ＩＤ付オリジナル動画コンテンツとし、それをサービス・プロバイダ７０４にアップロード（投稿）する。サービス・プロバイダ７０４は、Ｄｓｅｃデコーダ７１１によって投稿者の電子証明書を確認し、正しければ、アップロードされたＤｓｅｃ認証ＩＤ付オリジナル動画コンテンツを保存するとともに（ステップ７１２）、視聴者７０５からの要求に応じて、保存したＤｓｅｃ認証ＩＤ付オリジナル動画コンテンツを視聴者７０５にダウンロードする（ステップ７１３）。正しくなければ警報情報をＧＵＩ上に表示し、取り込んだ動画コンテンツを廃棄するなどの処置を行う（ステップ７１４）。視聴者７０５は、ダウンロードされたＤｓｅｃ認証ＩＤ付オリジナル動画コンテンツに付加された投稿者の電子証明書をＤｓｅｃデコーダ７１５によって確認し、正しければオリジナル動画コンテンツを分離して再生し（ステップ７１６）、正しくなければ警報情報をＧＵＩ上に表示するとともに警報情報をサービスプロバイダに伝え、取り込んだ動画コンテンツを廃棄するなどの処置を行う（ステップ７１７）。
【００３４】
実施例１のオリジナル動画コンテンツ保存・共有・配信サービスによれば、サービス・プロバイダ７０４は、アップロードされた動画コンテンツの投稿者がＤｓｅｃ認証サーバに登録された利用者か否かをＤｓｅｃデコーダ７１１により確認できるので、Ｄｓｅｃ認証サーバに登録されていない投稿者による投稿動画コンテンツ、換言すれば作成者が不明なため他のオリジナル・コンテンツからの複製・引用・盗用・改ざんの恐れがあったり、ウィルスや違法の内容含む恐れがあったりするコンテンツ、を自動的に例外なく排除することが容易であり、従来の動画コンテンツ保存・共有・配信サービスのプロバイダにとって避けられなかった人手による巡回監視と該当コンテンツの削除に費やす膨大な手間とコストを省くことができる。このことはサービス・プロバイダの信頼性・安全性の向上にも直結する。
【００３５】
また実施例１のオリジナル動画コンテンツ保存・共有・配信サービスによれば、保存・共有・配信される動画コンテンツはすべてその投稿者がＤｓｅｃ認証サーバへの登録者として特定できるオリジナル動画コンテンツであるため、視聴者７０５は著作権侵害やウィルス感染の恐れの無い安全な視聴を楽しむことができる。
【００３６】
さらに実施例１のオリジナル動画コンテンツ保存・共有・配信サービスによれば、仮に他のオリジナル動画コンテンツの著作権を侵害する動画コンテンツがオリジナル動画コンテンツと偽って投稿された場合でも、著作権者は容易に投稿者を特定して対応策をとることができる。
【実施例２】
【００３７】
図８は本発明の動画セキュリティ認証システムの実施例２を示す図であり、ホームネットワーク（家庭内ＬＡＮ）に接続されるビデオカメラと、ＡＶ機器や白物家電などのホームネットワーク機器と、インターネット上のＤｓｅｃ認証サーバと、オリジナル動画コンテンツ保存・共有・配信事業者の間で本発明の動画セキュリティ認証システムを使用し、オリジナル動画コンテンツの保存・共有・配信サービスを実現する例である。
【００３８】
図８の実施例２において、本発明の動画セキュリティ認証システムは、インターネット８００上のオリジナル動画コンテンツ保存・共有・配信事業者８０１と、インターネット８００上のＤｓｅｃ認証サーバ８０２と、ＤｓｅｃエンコーダおよびＤｓｅｃデコーダをあらかじめ実装しホームネットワーク８０３経由でインターネット８００に接続される個人用ビデオカメラ８０４と、Ｄｓｅｃデコーダをあらかじめ実装しホームネットワーク８０３に接続されるホームネットワーク機器８０５により構成される。
【００３９】
図８の実施例２において、ビデオカメラ８０４は、あらかじめ認証された電子証明書８０６をＤｓｅｃ認証サーバ８０２に要求して取得し、ステップ８０７でそれを保存するとともに、ホームネットワーク８０３を介してホームネットワーク機器８０５（たとえばデジタル・ビデオプレーヤ）に配信し、ホームネットワーク機器８０５に内蔵されているＤｓｅｃデコーダがＤｓｅｃ認証つきオリジナル動画コンテンツをオリジナル動画コンテンツ保存・共有・配信事業者（サービス・プロバイダ）８０１から受信できるようにする。ビデオカメラ８０４で撮影（ステップ８０８）されたオリジナル動画コンテンツは、ビデオカメラ８０４のアップロード・コマンド（ステップ８０９）により、内蔵されたＤｓｅｃエンコーダ（８１０）に渡されてＤｓｅｃ認証ＩＤ付オリジナル動画コンテンツとなり、ホームネットワーク８０３、インターネット８００を介してオリジナル動画コンテンツ保存・共有・配信事業者８０１に送られる（ステップ８１１）。オリジナル動画コンテンツ保存・共有・配信事業者８０１は受信動画コンテンツの送信者をＤｓｅｃデコーダ８１２で確認し、Ｄｓｅｃ認証ＩＤ付オリジナル動画コンテンツとして保存する（ステップ８１３）。オリジナル動画コンテンツの撮影者はビデオカメラ８０４またはホームネットワーク機器８０５（たとえばデジタル・ビデオプレーヤ）からオリジナル動画コンテンツ保存・共有・配信事業者８０１に対して、保存されたＤｓｅｃ認証ＩＤ付オリジナル動画コンテンツのダウンロードを要求しダウンロードを受け（ステップ８１４、８１５）、再生することができる。なお、撮影者の意向により、オリジナル動画コンテンツ保存・共有・配信事業者８０１は受信したＤｓｅｃ認証ＩＤ付オリジナル動画コンテンツをＤｓｅｃ認証ＩＤのつかない動画として公開保存し（ステップ８１６）、Ｄｓｅｃデコーダを持たない不特定多数の一般視聴者が視聴できる（ステップ８１７）ようにしてもよい。
【実施例３】
【００４０】
図９は本発明の動画セキュリティ認証システムの実施例３を示す図であり、ＤｓｅｃエンコーダおよびＤｓｅｃデコーダをあらかじめ実装しインターネット接続機能を有するビデオカメラ付携帯電話端末（ビデオカメラ付多機能携帯端末を含む）９００と、インターネット９０２上のＤｓｅｃ認証サーバ９０３および動画保存・共有・配信事業者９１０の間で本発明の動画セキュリティ認証システムを構成し、オリジナル動画コンテンツの保存・共有・配信サービスを実現する例である。
【００４１】
図９の実施例３において、ビデオカメラ付携帯電話端末９００は、あらかじめ認証された電子証明書９０１をインターネット９０２を介してＤｓｅｃ認証サーバ９０３に要求して取得し、保存する（ステップ９０４）。ビデオカメラ付携帯電話端末９００は専用のアプリケーション・ソフトウェアを容易にダウンロードして使用することができるので、動画セキュリティ認証システムを用いる種々のアプリケーション・ソフトウェアをビデオカメラ付携帯電話端末９００にダウンロードして（ステップ９０５）保存し（ステップ９０６）、使用することができる。ビデオカメラ付携帯電話端末９００で撮影（ステップ９０７）されたオリジナル動画コンテンツは、ビデオカメラ付携帯電話端末９００のアップロード・コマンド（ステップ９０８）により、内蔵されたＤｓｅｃエンコーダ（９０９）に渡されてＤｓｅｃ認証ＩＤ付オリジナル動画コンテンツとなり、インターネット９０２を介してオリジナル動画コンテンツ保存・共有・配信事業者９１０に送られる（ステップ９１１）。オリジナル動画コンテンツ保存・共有・配信事業者９１０は受信動画コンテンツの送信者をＤｓｅｃデコーダ９１２で確認し、Ｄｓｅｃ認証ＩＤ付オリジナル動画コンテンツとして保存する（ステップ９１３）。オリジナル動画コンテンツの撮影者はビデオカメラ付携帯電話９００からオリジナル動画コンテンツ保存・共有・配信事業者９１０に対して、保存されたＤｓｅｃ認証ＩＤ付オリジナル動画コンテンツのダウンロードを要求して取得し（ステップ９１４）、再生することができる。なお、撮影者の意向により、オリジナル動画コンテンツ保存・共有・配信事業者９１０は受信したＤｓｅｃ認証ＩＤ付オリジナル動画コンテンツをＤｓｅｃ認証のつかない動画として公開保存し（ステップ９１５）、それをＤｓｅｃデコーダを持たない不特定多数の一般視聴者が視聴できる（ステップ９１６）ようにしてもよい。
【実施例４】
【００４２】
図１０は本発明の動画セキュリティ認証システムの実施例４を示す図であり、Ｄｓｅｃエンコーダをあらかじめ実装しインターネット接続機能を有する監視用ビデオカメラ１０００と、インターネット１００２上のＤｓｅｃ認証サーバ１００３およびリアルタイム監視サービス事業者１０１０と、Ｄｓｅｃデコーダをあらかじめ実装しインターネット接続機能を有するリアルタイム監視サービス加入者端末１０１５（ＰＣや携帯端末など）の間で本発明の動画セキュリティ認証システムを構成し、リアルタイム動画監視サービスを実現する例である。
【００４３】
リアルタイム動画監視サービスは、たとえば道路や街頭、乗り物内、公共施設内、企業内、家庭内などに設置した監視用ビデオカメラで撮影した動画を、サービス加入者にリアルタイム或いは年月日時分秒や場所の情報を付加して配信するサービスで、防犯や防災上特に有用であり幅広く使用されている。このサービスに動画セキュリティ認証システムを適用することにより、サービス加入者（たとえば公共事業体、警察、施設管理者、企業、個人）は安全で信頼のおける映像情報を入手することが可能になる。
【００４４】
図１０の実施例４において、監視用ビデオカメラ１０００は、あらかじめ認証された電子証明書１００１をインターネット１００２を介してＤｓｅｃ認証サーバ１００３に要求して取得し、保存する（ステップ１００４）。監視用ビデオカメラ１０００は、動画セキュリティ認証システムを用いる種々のアプリケーション・ソフトウェアを、ダウンロードして（ステップ１００５）保存し（ステップ１００６）使用することができる。監視用ビデオカメラ１０００で撮影（ステップ１００７）されたオリジナル動画コンテンツは、監視用ビデオカメラ１０００のアップロード・コマンド（ステップ１００８）により、内蔵されたＤｓｅｃエンコーダ（１００９）に渡されてＤｓｅｃ認証ＩＤ付オリジナル動画コンテンツとなり、インターネット１００２を介してリアルタイム動画監視サービス事業者１０１０に送られる（ステップ１０１１）。リアルタイム動画監視サービス事業者１０１０は受信動画コンテンツの送信者をＤｓｅｃデコーダ１０１２で確認し、Ｄｓｅｃ認証ＩＤ付オリジナル動画コンテンツとして保存する（ステップ１０１３）。リアルタイム監視サービス加入者１０１５はリアルタイム監視サービス事業者１０１０に対して、保存されたＤｓｅｃ認証ＩＤ付オリジナル動画コンテンツのダウンロードを要求して取得し（ステップ１０１４）、Ｄｓｅｃデコーダで撮影者を確認後（ステップ１０１６）、再生する（１０１７）ことができる。
【００４５】
はじめに説明したＤＲＭ技術はコンテンツの配信者がコンテンツをその正当な利用者に配信する過程で第三者により不正利用されるのを防止する技術なので、この技術を本発明の動画セキュリティ認証システムに適用すれば、本発明の動画セキュリティ認証システムにより認証されたオリジナル動画コンテンツを、配信の途中で不正に利用されることなく利用者に配信できる。
【００４６】
たとえば図１０の本発明の動画セキュリティ認証システムの実施例４において、監視用ビデオカメラ１０００からリアルタイム監視サービス事業者１０１０にオリジナル動画コンテンツをアップロードするステップ１０１１、およびリアルタイム監視サービス事業者１０１０からリアルタイム監視サービス加入者１０１５にオリジナル動画コンテンツをダウンロードするステップ１０１４にＤＲＭ技術を使用することにより、安全で信頼のおける監視映像情報を他者に不正利用されることなく利用者に伝達できるようになり、高い信頼性と高度な秘匿性をもつリアルタイム動画監視サービスの実現が可能になる。また、従来は証拠の効力が無かった動画が証拠力を持つようになる。
【００４７】
以上詳細に説明したように、本発明の動画セキュリティ認証システムによれば、ネットワーク上のコンテンツ保存・共有・配信サイトに配信目的で投稿される動画コンテンツがオリジナル・コンテンツ、すなわち投稿者が原本として作成し、他者の作成したコンテンツからの複製・引用・盗用・改ざんなどを含まずかつウィルスの埋め込みや違法の内容を含まないコンテンツ、であることを配信者が確認し、利用者に対して保証することが可能となるので、利用者が安心して視聴できる動画コンテンツを提供する動画保存・共有・配信サービスが可能となる。
【００４８】
なお以上の説明において、本発明の動画セキュリティ認証システムはオリジナル動画コンテンツの配信者の認証を行うシステムとして説明したが、保存・共有・配信の対象となるオリジナル・コンテンツは動画のみに限られるものではなく、オリジナル静止画コンテンツ、オリジナル音コンテンツ、オリジナル文章コンテンツまたはそれらの組合わせを含むものであってもよい。
【産業上の利用可能性】
【００４９】
本発明の動画セキュリティ認証システムにより利用者が安心して視聴できる動画コンテンツを提供する動画保存・共有・配信サービスが可能となるので、ネットワークの管理・運用者やＩＳＰにとって利用価値が大きい。さらにネットワーク上でのコンテンツ著作権侵害防止に有効であり、著作権者の権利を守ることができる。
【符号の説明】
【００５０】
１００      ネットワーク
１０１      認証要求
１０２      要求元認証情報
１０３      登録済要求元認証情報
１０４      電子証明書
１０５      オリジナル動画コンテンツ
１０６      Ｄｓｅｃ認証ＩＤ付オリジナル動画コンテンツ
１０７      動画コンテンツ
１０９      警告情報
１１０      Ｄｓｅｃ認証サーバ
１１１      Ｄｓｅｃエンコーダ
１１２      Ｄｓｅｃデコーダ
２０１      Ｄｓｅｃ認証ＩＤ
３０１      ＣＲＣ符号の計算結果
３０２      埋め込みルール
３０３      Ｄｓｅｃ認証ＩＤ
４０１      ステップ
４０２      ステップ
４０３      ステップ
５０１      ステップ
５０２      ステップ
５０３      ステップ
５０４      オリジナル動画コンテンツ
５０５      Ｄｓｅｃ認証ＩＤ５０５
５０７      ステップ
５０８      送信側ＣＲＣ符号計算結果
５０９      ステップ
５１０      ステップ
５１１      警告情報
６００      Ｄｓｅｃ認証サーバ１１０の基本動作
６０１      オリジナル動画コンテンツの投稿者
６０２      利用者登録の手順
６０３      ステップ
６０４      公的認証機関
６０５      電子証明書
６０６      ステップ
６０７      ステップ６０７
６０８      ステップ
６０９      ステップ
６１０      ステップ
６１１      ステップ
７００      Ｄｓｅｃ認証サーバ
７０１      利用者登録ステップ
７０２      公的認証機関
７０３      利用者登録ステップ
７０４      オリジナル動画コンテンツ保存・共有・配信事業者
７０５      オリジナル動画コンテンツ視聴者
７０６      ステップ
７０７      基本動作ステップ
７０８      電子証明書
７０９      オリジナル動画コンテンツ
７１０      Ｄｓｅｃエンコーダ
７１１      Ｄｓｅｃデコーダ
７１２      ステップ
７１３      ステップ
７１４      ステップ
７１５      Ｄｓｅｃデコーダ
７１６      ステップ
７１７      ステップ
８００      インターネット
８０１      オリジナル動画コンテンツ保存・共有・配信事業者
８０２      Ｄｓｅｃ認証サーバ
８０３      ホームネットワーク
８０４      個人用ビデオカメラ
８０５      ホームネットワーク機器
８０６      電子証明書
８０７      ステップ
８０８      ステップ
８０９      ステップ
８１０      Ｄｓｅｃエンコーダ
８１１      ステップ
８１２      Ｄｓｅｃデコーダ
８１３      ステップ
８１４      ステップ
８１５      ステップ
８１６      ステップ
８１７      ステップ
９００      ビデオカメラ付携帯電話端末
９０１      電子証明書
９０２      インターネット
９０３      Ｄｓｅｃ認証サーバ
９０４      ステップ
９０５      ステップ
９０６      ステップ
９０７      ステップ
９０８      ステップ
９０９      Ｄｓｅｃエンコーダ
９１０      オリジナル動画コンテンツ保存・共有・配信事業者
９１１      ステップ
９１２      Ｄｓｅｃデコーダ
９１３      ステップ
９１４      ステップ
９１５      ステップ
９１６      ステップ
１０００      監視用ビデオカメラ
１００１      電子証明書
１００２      インターネット
１００３      Ｄｓｅｃ認証サーバ
１００４      ステップ
１００５      ステップ
１００６      ステップ
１００７      ステップ
１００８      ステップ
１００９      Ｄｓｅｃエンコーダ
１０１０      リアルタイム動画監視サービス事業者
１０１１      ステップ
１０１２      Ｄｓｅｃデコーダ
１０１３      ステップ
１０１４      ステップ
１０１５      リアルタイム監視サービス加入者
１０１６      ステップ
１０１７      ステップ
【図１】
2011223364.tif 000003
【図２】
2011223364.tif 000004
【図３】
2011223364.tif 000005
【図４】
2011223364.tif 000006
【図５】
2011223364.tif 000007
【図６】
2011223364.tif 000008
【図７】
2011223364.tif 000009
【図８】
2011223364.tif 000010
【図９】
2011223364.tif 000011
【図１０】
2011223364.tif 000012